(57)【要約】【課題】ボールを受け取る人が居なくとも、簡単な装置で、一人で投球練習できる。そして、投球したボールが、低い角度と、緩やかなスピードで、投球位置に。    人に危害が無く、安全、安心に返球される投球練習装置【解決手段】ネットコーナ内に投球されたボールは、設置されたフェイスプレート及び、ネットならびにシート類に、当たり、ボールの反発力を減衰させ、コーナ下部の下ネットの集球口に、入り、下ネットの下部に設置されたドライブ機構により、ボールに加速力を加えて、ゲートを通過して、投球位置に、低い角度と、緩やかなスピードで、人に危害が無く、安全、安心に返球される安全低高度返球付投球練習機【選択図】図１
0003130602.tif 000002
【実用新案登録請求の範囲】
【請求項１】
ネットコーナ２内に、投球されたボールＢが、一箇所、集球口４に自然に集まるように、下ネット２４に傾斜をもたせる。    ボールが集球口より落下し、球送管１０のＡ部位１１を通過中に、Ａセンサ８に、感知される。    Ａセンサは感知すると、回転円盤Ａドライブ５、回転円盤Ｂドライブ６が駆動し、ソレノイド開閉ゲート７が開く。    ボールは一対の回転円盤Ａドライブ５で加速され、球送管のＢ部位１２を通過し、一対の回転円盤Ｂドライブ６で、投球位置Ｃまでボールを戻すことができる速度に更に加速させ、上下左右に若干角度を変えられる、球送管Ｃ部位１３を通過す。    通過中にＢセンサ９に感知され、Ｂセンサは感知すると、回転円盤Ａドライブ５、回転円盤Ｂドライブ６を稼動停止し、ソレノイド開閉ゲート７を閉じる。    ゲートはソレノイド７１の遅延動作によって、ボールが通過後に閉じられる。    返球は低高度よりボールが排出、戻される。  投球者Ａ、及び身近な人々に対して、安全で安心に、投球位置Ｃにボールを返球する返球付投球練習機。    フェイスプレート３の構造は、緩衝やわらげるにリンク３３機構パンタグラフ型にし。    ネットコーナ内のフェイスプレートＡボード３１に投球されたボールが、反発でネットコーナ内から外部にボールが飛び出しを防止する為、フェイスプレートＡボード３１に摺動をもたせ、ショツクアブソーバ３５とで、ボールの反発を低下させ、下ネット２４に落下させる。  この考案の重要点は、下ネットの下部に返球装置を設ける。    安全に低高度で投球位置にボールを戻す返球付投球練習機。
【考案の詳細な説明】
【技術分野】
【０００１】この考案は、投球の練習に使用される。
【背景技術】
【０００２】一般に公表販売されている投球練習機で、投球されたボールが、安全に低高度で、投球位置付近に返球される練習機が無い。
【考案の開示】
【考案が解決しようとする課題】
【０００３】従来の練習機は、投球者の投球一方通行のみで、ボールが返球されることがない、よって安全に安心して、返球される装置を提供して目的とする。
【課題を解決するための手段】
【０００４】上記、目的を達成するため、この考案は、単独にて投球者より、ネットコーナ２内に投球されたボールが、落下し、下ネットの集球口４より落下させ、下ネットの下部の返球装置、球送管１０を通過し、ドライブ５，６でボールに加速を加え、投球位置Ｃまで安全安心にボールを戻すことができるよう構成された、特徴をもった安全低高度返球付投球練習機
【考案の効果】
【０００５】従来から、投球したボールが、安全、安心に返球される投球練習機が販売されていない。
【考案を実施するための最良の形態】
【実施例】
【０００６】次に、本考案の安全低高度返球付投球練習機の実施の形態を添付図を参照にして以下に詳細に説明する。【０００７】最初にボールの流れを記す。  投球位置Ｃより、投球者Ａによって、ネットコーナ２内に向かってＢ２、ボールＢを投げる。
ネットコーナ２内の周囲のネット２１、２２、２３か、フェイスプレート３か、もしくは下ネット２４に、ボールＢは、ネットコーナ内において、接触バウンドし、落下する。
ボールＢは、下ネット２４に設けられた、集球口４に集まり、集められたボールは、下ネット２４下部の返球装置の球送管１０のＡ部位１１を通過して、回転円盤Ａドライブ５で加速され、球送管Ｂ部位１２を通過し、回転円盤Ｂドライブ６で更加速され、球送管Ｃ部位１３を通過する。
球送管Ｃ部位１３を通過したボールＢは、ソレノイド開閉ゲート７を潜り抜けて、投球位置Ｃに、返球される。【０００８】個々のデバイスの機能説明す。【０００９】ネットコーナ２
外枠は、金属、もしくは樹脂等。  外枠には低反発性材質の、網目のネット２１、２２、２３、２４が正面、上部を除く、左右奥下の４箇所に、張られる。    ネットの役割は、ボールをネットコーナ内に補足し、反発力を低減させ、下ネット２４の集球口４に集球させる。【００１０】フェイスプレート３
フェイスプレート３は、それを、支えるリンク３３機構フレーム３６、緩衝機構３１、３２、３４、３５、３７等により構成される。  フエィスプレートＡボード３１表面には、ボールの反発を抑制するため低反発素材を表面に張り付ける。【００１１】下部ネット２４
素材にネット、もしくはシート類に角度を持たせて、ボールが自然に転がり、集球口４に集まるように、傾斜をつけて張りめぐされる。【００１２】集球口４
ボールＢが、下ネット２４から球送管１０に流れやすい丸型構造。【００１３】球送管１０
球送管Ａ部位１１の先端には、Ａセンサ８を設置し、そしてボールＢを回転円盤Ａドライブ５に導くパイプ。    球送管Ｂ部位１２は、ボールを回転円盤Ｂドライブに導くパイプ。    球送管Ｃ部位１３には、Ｂセンサ９を設置し、そしてボールを投球位置Ｃに戻すについて、パイプ角度を設定し、上下、左右のボール方向を定めるパイプ。    出口には、ソレノイド開閉ゲート７が設置される。【００１４】回転円盤Ａドライブ５
Ａセンサ８の感知にて、モーターが駆動し、一対の円盤を高速回転させ、ホイールとホイールの間に挟んだボールＢに加速を与えて球送する。    Ｂセンサ９の感知にて、モーター駆動の円盤回転を停止す。【００１５】回転円盤Ｂドライブ６
Ａセンサ８の感知にて、モーターが駆動し、一対の円盤を超高速回転させ、ホイールとホイールの間に挟んだボールＢに再加速を与えて球送する。    Ｂセンサ９の感知にて、モーター駆動の円盤回転を停止す。【００１６】ソレノイド開閉ゲート７
Ａセンサ８の感知にて、ボールＢを投球位置に、戻す時のみ開き、Ｂセンサ９の感知にて、ボールの通過後に閉鎖する。    投球時は閉鎖させる。    ゲートはソレノイド７１の遅延動作によってボールの通過後に閉鎖す。【００１７】Ａ、Ｂセンサ８、９
センサは、ボールＢの通過を感知判定通知する。
【産業上の利用可能性】
【００１８】大人から子供までの、多くの人が楽しめる、投球練習機は活用範囲がスポーツ、アミューズにまたがる。
【図面の簡単な説明】
【００１９】
【図１】本考案に係る、安全安心にボールを戻す、ことができる構成された、特徴をもった、安全低高度返球付投球練習機を示した、代表実施例の概略を示した側面図である。
【図２】ネットコーナ全立体図。
【図３】ネットコーナの三面図
【図４】フエイス、プレート全体図
【図５】本考案の請求範囲のボール返球機構図
【図６】ソレノイド開閉ゲートと、ドライブの拡大図
【符号の説明】
【００２０】Ａ投球者        Ｃ投球位置        Ｂボール      Ｂ１ボールの投球方向
Ｂ２ボールの返球方向        ２ネットコーナ        ２１右ネット
２２奥ネット        ２３左ネット          ２４下ネット
３フエィス、プレート        ３１フエイスプレートＡボード
３２フエイスプレートＢボード      ３３フエイスプレート、リンク
３４フエイスプレート、リターンスプリング
３５フエイスプレート緩衝器ショツクアブソーバ
３６フエィスプレート、ピラー        ３７フエイスプレートリンク、安定ロッド
４集球口      ５回転円盤Ａドライブ    ５１モーター、回転円盤Ａドライブ用
５２回転円盤Ａドライブの回転方向        ６回転円盤Ｂドライブ
６１モーター、回転円盤Ｂドライブ用      ６２回転円盤Ｂドライブの回転方向
７ソレノイド開閉ゲート      ７１ソレノイド        ８Ａセンサ    ９Ｂセンサ
１０球送管        １１球送管Ａ部位        １２球送管Ｂ部位
１３球送管Ｃ部位
【図１】
0003130602.tif 000003
【図２】
0003130602.tif 000004
【図３】
0003130602.tif 000005
【図４】
0003130602.tif 000006
【図５】
0003130602.tif 000007
【図６】
0003130602.tif 000008
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
ネットコーナ２内に投球されたボールを集球口４に集める下ネット２４と、下ネット２４の下部に設けられ、且つ下ネット２４の集球口４より落下したボールを通す返球装置の球送管１０と、送球管１０を通るボールに加速を加えて投球位置Ｃまでボールを戻すドライブ５と、を備えることを特徴とする安全低高度返球付練習機。
【手続補正２】
【補正対象書類名】明細書
【補正対象項目名】０００４
【補正方法】変更
【補正の内容】
【０００４】  上記の目的を達成するため、この考案は、ネットコーナ２内に投球されたボールを集球口４に集める下ネット２４と、下ネット２４の下部に設けられ、且つ下ネット２４の集球口４より落下したボールを通す返球装置の球送管１０と、送球管１０を通るボールに加速を加えて投球位置Ｃまでボールを戻すドライブ５と、を備えることを特徴とする安全低高度返球付練習機である。